(57)【要約】【課題】  電子機器のホルダーからの取出時における雄型コネクターの変形を防止する。【解決手段】  電子機器を保持するホルダーと、電子機器がホルダーに保持されるときに雌型コネクターに挿入されて接続される雄型コネクターとを設け、ホルダーがベース部とベース部の両端部からそれぞれ略同じ方向へ突出され電子機器を挟持する一対の保持突部とを有し、雄型コネクターが一対の保持突部の並び方向に直交しベース部からの保持突部の突出方向に直交する方向に延びる軸を支点として一方の保持突部に回動自在に支持され、一方の保持突部の先端部にベース部からの保持突部の突出方向において雄型コネクターに対向して位置された規制突部を設け、雌型コネクターに雄型コネクターが接続された状態において電子機器の他方の保持突部との係合が解除されて電子機器がホルダーに対して傾動されて雄型コネクターが回動されたときに、電子機器が規制突部に接触されて雄型コネクターの所定の角度以上の回動が規制されるようにした。【選択図】        図３
2013025885.tif 000002
【特許請求の範囲】
【請求項１】
雌型コネクターを有する電子機器を保持するホルダーと、
前記電子機器が前記ホルダーに保持されるときに前記雌型コネクターに挿入されて接続される雄型コネクターとを備え、
前記ホルダーがベース部と前記ベース部の両端部からそれぞれ略同じ方向へ突出され前記電子機器の両端部に係合して前記電子機器を挟持する一対の保持突部とを有し、
前記雄型コネクターが前記一対の保持突部の並び方向に直交し前記ベース部からの前記保持突部の突出方向に直交する方向に延びる軸を支点として一方の前記保持突部に回動自在に支持され、
前記一方の保持突部の先端部に前記ベース部からの前記保持突部の突出方向において前記雄型コネクターに対向して位置された規制突部を設け、
前記雌型コネクターに前記雄型コネクターが接続された状態において前記電子機器の他方の前記保持突部との係合が解除されて前記電子機器が前記ホルダーに対して傾動されて前記雄型コネクターが回動されたときに、前記電子機器が前記規制突部に接触されて前記雄型コネクターの所定の角度以上の回動が規制されるようにした
接続装置。
【請求項２】
前記雌型コネクターが前記雄型コネクターに接続された前記電子機器が前記規制突部に接触された状態において、前記規制突部の先端部と前記雄型コネクターの先端部とが前記並び方向において略同じ位置に存在するようにした
請求項１に記載の接続装置。
【請求項３】
前記雄型コネクターが所定の角度範囲で前記ホルダーに対して回動可能とされ、
前記電子機器が前記規制突部に接触したときに前記雄型コネクターの回動角度が前記角度範囲における最大角度より小さくされた
請求項１に記載の接続装置。
【請求項４】
前記ホルダーに前記電子機器が保持される前の状態において、前記雄型コネクターが前記一対の保持突部の並び方向に対して前記規制突部側へ傾斜された
請求項１に記載の接続装置。
【請求項５】
前記ホルダーに前記電子機器が保持される前の状態における前記雄型コネクターの位置が初期位置とされ、
前記雄型コネクターが前記初期位置を基準として反対方向へ回動可能とされ、
前記雄型コネクターを前記初期位置へ向けて付勢する付勢バネを設けた
請求項４に記載の接続装置。
【請求項６】
前記ホルダーのベース部に前記ベース部からの前記保持突部の突出方向へ移動可能とされ前記ホルダーに前記電子機器が保持されたときに前記電子機器に押し付けられるアジャスターを設け、
前記ホルダーは前記ベース部からの前記保持突部の突出方向における大きさが異なる電子機器の保持が可能とされ、
前記ホルダーに前記電子機器が保持された状態において、保持された前記電子機器の前記大きさに応じて前記アジャスターの前記電子機器に対する接触位置が変化されるようにした
請求項１に記載の接続装置。
【発明の詳細な説明】
【技術分野】
【０００１】
本技術は接続装置についての技術分野に関する。詳しくは、雄型コネクターを電子機器が保持されるホルダーに対して回動可能にすると共に雄型コネクターのホルダーに対する回動を規制する規制突部を設けて電子機器のホルダーからの取出時における雄型コネクターの変形を防止する技術分野に関する。
【背景技術】
【０００２】
携帯用の音楽記録再生装置や携帯電話等の電子機器が接続される接続装置がある。
【０００３】
このような接続装置は、例えば、電子機器を保持するホルダーを有し、例えば、車内のダッシュボード等に取り付けられる。接続装置は、例えば、車載用のスピーカーユニットにデーターの出力等を行うための処理装置（デジタル・シグナル・プロセッサー・ユニット：Digital Signal Processor Unit）に接続される。接続装置が処理装置に接続されると、ホルダーに保持された電子機器の音楽データー等が処理装置を介してスピーカーユニットに送出され、スピーカーユニットから高品質の音声が出力される。
【０００４】
上記のような接続装置には、電子機器に設けられた雌型コネクターが接続される雄型コネクターが長手方向における一端部に設けられ、長手方向における他端部に電子機器に係合されて電子機器を保持する保持部が設けられている。
【０００５】
電子機器は雌型コネクターが雄型コネクターに接続されることにより接続装置に対する電気的な導通が図られ、雌型コネクターが雄型コネクターに接続され所定の部分が保持部に係合されることによりホルダーに保持される。
【０００６】
【特許文献１】特開２００３−１３４２０９号公報
【発明の開示】
【発明が解決しようとする課題】
【０００７】
ところで、上記のような接続装置において、電子機器を接続装置から取り出そうとするときには、電子機器を接続装置に対して雌型コネクターが設けられている部分を支点として傾けることにより保持部の解除を行うことも可能である。
【０００８】
ところが、上記のように電子機器を傾けて接続装置からの取出を行おうとしたときには、雌型コネクターが雄型コネクターに接続された状態で電子機器が傾けられてしまうため、その分、雄型コネクターに負荷が付与されてしまい、雄型コネクターが変形してしまうおそれがある。
【０００９】
特に、車内において用いられる接続装置にあっては、車内において接続装置が様々な向きでダッシュボード等に取り付けられるため、電子機器を接続装置から取り出すときに電子機器が傾いた状態になり易い。
【００１０】
そこで、本技術接続装置は、上記した問題点を克服し、電子機器のホルダーからの取出時における雄型コネクターの変形を防止することを課題とする。
【課題を解決するための手段】
【００１１】
第１に、接続装置は、上記した課題を解決するために、雌型コネクターを有する電子機器を保持するホルダーと、前記電子機器が前記ホルダーに保持されるときに前記雌型コネクターに挿入されて接続される雄型コネクターとを備え、前記ホルダーがベース部と前記ベース部の両端部からそれぞれ略同じ方向へ突出され前記電子機器の両端部に係合して前記電子機器を挟持する一対の保持突部とを有し、前記雄型コネクターが前記一対の保持突部の並び方向に直交し前記ベース部からの前記保持突部の突出方向に直交する方向に延びる軸を支点として一方の前記保持突部に回動自在に支持され、前記一方の保持突部の先端部に前記ベース部からの前記保持突部の突出方向において前記雄型コネクターに対向して位置された規制突部を設け、前記雌型コネクターに前記雄型コネクターが接続された状態において前記電子機器の他方の前記保持突部との係合が解除されて前記電子機器が前記ホルダーに対して傾動されて前記雄型コネクターが回動されたときに、前記電子機器が前記規制突部に接触されて前記雄型コネクターの所定の角度以上の回動が規制されるようにしたものである。
【００１２】
従って、接続装置にあっては、電子機器のホルダーに対する傾動に伴って雄型コネクターが回動され電子機器の規制突部への接触により雄型コネクターの回動が規制される。
【００１３】
第２に、上記した接続装置においては、前記雌型コネクターが前記雄型コネクターに接続された前記電子機器が前記規制突部に接触された状態において、前記規制突部の先端部と前記雄型コネクターの先端部とが前記並び方向において略同じ位置に存在することが望ましい。
【００１４】
雌型コネクターが雄型コネクターに接続された電子機器が規制突部に接触された状態において、規制突部の先端部と雄型コネクターの先端部とが並び方向において略同じ位置に存在することにより、電子機器が雄型コネクターに対して傾いたときに、電子機器の雄型コネクターに対する傾きが大きくなり難い。
【００１５】
第３に、上記した接続装置においては、雄型コネクターが所定の角度範囲で前記ホルダーに対して回動可能とされ、前記電子機器が前記規制突部に接触したときに前記雄型コネクターの回動角度が前記角度範囲における最大角度より小さくされることが望ましい。
【００１６】
雄型コネクターが所定の角度範囲でホルダーに対して回動可能とされ、電子機器が規制突部に接触したときに雄型コネクターの回動角度が角度範囲における最大角度より小さくされることにより、規制突部によって雄型コネクターの回動が角度範囲における最大角度より小さい角度で規制される。
【００１７】
第４に、上記した接続装置においては、前記ホルダーに前記電子機器が保持される前の状態において、前記雄型コネクターが前記一対の保持突部の並び方向に対して前記規制突部側へ傾斜されることが望ましい。
【００１８】
ホルダーに電子機器が保持される前の状態において、雄型コネクターが一対の保持突部の並び方向に対して規制突部側へ傾斜されることにより、電子機器の雌型コネクターに雄型コネクターを挿入し易くなる。
【００１９】
第５に、上記した接続装置においては、前記ホルダーに前記電子機器が保持される前の状態における前記雄型コネクターの位置が初期位置とされ、前記雄型コネクターが前記初期位置を基準として反対方向へ回動可能とされ、前記雄型コネクターを前記初期位置へ向けて付勢する付勢バネを設けることが望ましい。
【００２０】
雄型コネクターが初期位置を基準として反対方向へ回動可能とされ、雄型コネクターを初期位置へ向けて付勢する付勢バネを設けることにより、電子機器が接続装置に接続される前の状態において、常に、雄型コネクターがベース部に対して一定の角度で初期位置に保持される。
【００２１】
第６に、上記した接続装置においては、ホルダーのベース部に前記ベース部からの前記保持突部の突出方向へ移動可能とされ前記ホルダーに前記電子機器が保持されたときに前記電子機器に押し付けられるアジャスターを設け、前記ホルダーは前記ベース部からの前記保持突部の突出方向における大きさが異なる電子機器の保持が可能とされ、前記ホルダーに前記電子機器が保持された状態において、保持された前記電子機器の前記大きさに応じて前記アジャスターの前記電子機器に対する接触位置が変化されるようにすることが望ましい。
【００２２】
ホルダーに電子機器が保持された状態において、保持された電子機器の大きさに応じてアジャスターの電子機器に対する接触位置が変化されるようにすることにより、大きさが異なる電子機器がホルダーに保持された状態において、ホルダーに対する電子機器の位置が大きく変化しない。
【発明の効果】
【００２３】
本技術接続装置は、雌型コネクターを有する電子機器を保持するホルダーと、前記電子機器が前記ホルダーに保持されるときに前記雌型コネクターに挿入されて接続される雄型コネクターとを備え、前記ホルダーがベース部と前記ベース部の両端部からそれぞれ略同じ方向へ突出され前記電子機器の両端部に係合して前記電子機器を挟持する一対の保持突部とを有し、前記雄型コネクターが前記一対の保持突部の並び方向に直交し前記ベース部からの前記保持突部の突出方向に直交する方向に延びる軸を支点として一方の前記保持突部に回動自在に支持され、前記一方の保持突部の先端部に前記ベース部からの前記保持突部の突出方向において前記雄型コネクターに対向して位置された規制突部を設け、前記雌型コネクターに前記雄型コネクターが接続された状態において前記電子機器の他方の前記保持突部との係合が解除されて前記電子機器が前記ホルダーに対して傾動されて前記雄型コネクターが回動されたときに、前記電子機器が前記規制突部に接触されて前記雄型コネクターの所定の角度以上の回動が規制されるようにしている。
【００２４】
従って、雄型コネクターに電子機器から負荷が付与されないため、電子機器の取出時における雄型コネクターの変形を防止することができる。
【００２５】
請求項２に記載した技術にあっては、前記雌型コネクターが前記雄型コネクターに接続された前記電子機器が前記規制突部に接触された状態において、前記規制突部の先端部と前記雄型コネクターの先端部とが前記並び方向において略同じ位置に存在するようにしている。
【００２６】
従って、電子機器が雄型コネクターに対して傾いたときに、電子機器の雄型コネクターに対する傾きが大きくなり難く、雄型コネクターの変形の発生を低減することができる。
【００２７】
請求項３に記載した技術にあっては、前記雄型コネクターが所定の角度範囲で前記ホルダーに対して回動可能とされ、前記電子機器が前記規制突部に接触したときに前記雄型コネクターの回動角度が前記角度範囲における最大角度より小さくされている。
【００２８】
従って、雄型コネクターを含めた回動機構の破損及び動作不良の発生を防止することができる。
【００２９】
請求項４に記載した技術にあっては、前記ホルダーに前記電子機器が保持される前の状態において、前記雄型コネクターが前記一対の保持突部の並び方向に対して前記規制突部側へ傾斜されている。
【００３０】
従って、電子機器の雌型コネクターに雄型コネクターを挿入し易く、雄型コネクターに対する雌型コネクターの良好な接続動作及び接続状態を確保することができる。
【００３１】
請求項５に記載した技術にあっては、前記ホルダーに前記電子機器が保持される前の状態における前記雄型コネクターの位置が初期位置とされ、前記雄型コネクターが前記初期位置を基準として反対方向へ回動可能とされ、前記雄型コネクターを前記初期位置へ向けて付勢する付勢バネを設けている。
【００３２】
従って、電子機器が接続装置に接続される前の状態において、常に、雄型コネクターがベース部に対して一定の角度で初期位置に保持されているため、電子機器の接続装置に対する接続動作を容易に行うことができる。
【００３３】
請求項６に記載した技術にあっては、前記ホルダーのベース部に前記ベース部からの前記保持突部の突出方向へ移動可能とされ前記ホルダーに前記電子機器が保持されたときに前記電子機器に押し付けられるアジャスターを設け、前記ホルダーは前記ベース部からの前記保持突部の突出方向における大きさが異なる電子機器の保持が可能とされ、前記ホルダーに前記電子機器が保持された状態において、保持された前記電子機器の前記大きさに応じて前記アジャスターの前記電子機器に対する接触位置が変化されるようにしている。
【００３４】
従って、保持突部の突出方向における大きさが異なる電子機器が接続装置に接続された場合に、ホルダーに対する電子機器の位置が大きく変化することがなく、大きさの相違に拘わらず電子機器の接続装置に対する接続動作及び取出動作を適性に行うことができる。
【発明を実施するための最良の形態】
【００３５】
以下に、本技術接続装置を実施するための最良の形態を添付図面に従って説明する。
【００３６】
以下に示した最良の形態は、本技術接続装置を、車内において用いられ車載用のスピーカーユニットにデーターの出力等を行うための処理装置に接続される接続装置に適用したものである。
【００３７】
但し、本技術の適用範囲は車載用のスピーカーユニットにデーターの出力等を行うための処理装置に接続される接続装置に限られることはない。本技術接続装置は、電子機器の雌型コネクターが接続される雄型コネクターを有し雌型コネクターに雄型コネクターが接続された状態において電子機器を保持する各種の接続装置に広く適用することができる。特に、接続装置は、携帯電話や携帯用の音楽記録再生装置（ＤＭＰ：Digital Music Player）が接続される所謂クレードルと称される接続装置に好適である。
【００３８】
［電子機器の概略構成］
先ず、接続装置に接続される電子機器について説明する（図１参照）。
【００３９】
接続装置には、厚みの異なる電子機器１００及び電子機器２００が選択的に接続可能とされている。
【００４０】
電子機器１００は、例えば、携帯用の音楽記録再生装置であり、扁平な縦長の略矩形状に形成されている。電子機器１００は前面に表示面１００ａ及び操作部１００ｂを有している。表示面１００ａは、例えば、タッチパネルとしても機能し、表示面１００ａ又は操作部１００ｂを操作することにより、記録された音楽データー等の外部への出力や音楽データーの選択等の所定の処理を実行することが可能とされている。
【００４１】
電子機器１００の下端部には下方に開口された雌型コネクター１０１が設けられている。
【００４２】
電子機器２００は、例えば、携帯用の音楽記録再生装置であり、扁平な縦長の略矩形状に形成されている。電子機器２００の厚みは、例えば、電子機器１００の厚みより薄くされている。
【００４３】
電子機器２００は前面に表示面２００ａ及び操作部２００ｂを有している。表示面２００ａは、例えば、タッチパネルとしても機能し、表示面２００ａ又は操作部２００ｂを操作することにより、記録された音楽データー等の外部への出力や音楽データーの選択等の所定の処理を実行することが可能とされている。
【００４４】
電子機器２００の下端部には下方に開口された雌型コネクター２０１が設けられている。
【００４５】
［接続装置の構成］
次に、接続装置について説明する（図１乃至図６参照）。
【００４６】
接続装置１はスタンド２とホルダー３を有している。
【００４７】
スタンド２は被取付板４と被取付板４に回動自在に連結された支え脚５とを有している。被取付体４は上下方向を向く略円板状に形成され、下面側に図示しない吸盤を有している。被取付体４には吸着操作部４ａが設けられている。被取付体４には上方へ突出された支持突部４ｂが設けられている。
【００４８】
吸着操作部４ａが操作されると、例えば、車のダッシュボード等の被取付面に吸盤によって被取付体４が吸着され又は被取付面に対する吸着が解除される。
【００４９】
支え脚５は被取付体４の支持突部４ｂに回動自在に連結され、回動されることにより上端部が略前後方向へ移動されるように構成されている。また、支え脚５は被取付体４の一部の周方向における回転に伴って回転可能とされている。
【００５０】
ホルダー３は上下で結合された上側筐体６と下側筐体７を有し、上側筐体６が下側筐体７に対して上下方向へ移動可能とされている。
【００５１】
上側筐体６はフレーム部８とフレーム部８の下側に位置する内側構造部９とから成る（図３参照）。フレーム部８は内側構造部９に対して上下方向へ移動可能とされている。
【００５２】
フレーム部８はフロントキャビネット１０とリアパネル１１が前後で結合されて成る。
【００５３】
フロントキャビネット１０は縦長の形状に形成され、上端部を除く部分が後方に開口され上端部における前端部を除く部分が上方及び後方に開口されている。フロントキャビネット１０は上端部が他の部分より前方へ突出されている。フロントキャビネット１０の前端部には下方へ突出された位置規制部１０ａが設けられている。
【００５４】
リアパネル１１は縦長の形状に形成され、上端部が他の部分より前方へ突出されている。
【００５５】
内側構造部９は略前後方向を向く板状に形成された基板部９ａと基板部９ａから前方へ突出されたバネ支持突部９ｂとから成る。
【００５６】
下側筐体７はフレーム部１２とフレーム部１２に取り付けられたパネル部１３とを有している。
【００５７】
フレーム部１２はフロントパネル１４とリアキャビネット１５が前後で結合されて成る。
【００５８】
フロントパネル１４は縦長の形状に形成され、上端部に前後に貫通された支持孔１４ａを有し下端部に上下に貫通された配置孔１４ｂを有している。フロントパネル１４は下端部が他の部分より前方へ突出されている。
【００５９】
リアキャビネット１５は縦長の形状に形成され、下端部を除く部分が前方に開口され下端部が上方及び前方に開口されている。リアキャビネット１５は下端部が他の部分より前方へ突出されている。リアキャビネット１５の上端部には後方へ突出された突状配置部１６が設けられ突状配置部１６の後端部には前後に貫通された軸挿通孔１６ａが形成されている。
【００６０】
リアキャビネット１５の下端部における両側面部には、内面側にそれぞれ軸受凹部１５ａ、１５ａが形成されている。
【００６１】
リアキャビネット１５の所定の位置にはそれぞれ釦配置孔１５ｂ、１５ｂ、・・・及び摘子配置用切欠１５ｃが形成されている。
【００６２】
パネル部１３は、フロントパネル１４とリアキャビネット１５が結合されて構成されたフレーム部１２における下端部に前方から取り付けられている。パネル部１３には左右に離隔して透過孔１３ａと配置用孔１３ｂが形成されている。パネル部１３には、透過孔１３ａに赤外線フィルター１７が取り付けられ、配置用孔１３ｂにインジケーター１８が取り付けられている。
【００６３】
パネル部１３がフレーム部１２に取り付けられた状態においては、パネル部１３の上端部がフレーム部１２の下端部における上面より上方へ突出され（図４及び図５参照）、この突出された部分が規制突部１９として設けられている。
【００６４】
下側筐体７に上側筐体６が結合され下側筐体７にパネル部１３が結合されることによりホルダー３が構成される。ホルダー３には、フレーム部８の上端部を除く部分とフレーム部１２の下端部を除く部分とによって略前後方向を向くベース部２０が設けられ、ホルダー３の上端部と下端部はそれぞれベース部２０から前方へ突出された保持突部２１、２２として設けられている。
【００６５】
上側筐体６の上端部における内部には前後方向へ伸縮可能とされた圧縮コイルバネ２３が配置されている（図３参照）。圧縮コイルバネ２３は上側筐体６の内側構造部９に設けられたバネ支持突部９ｂに支持されている。
【００６６】
下側筐体７のフレーム部１２の内部における上端部にはアジャスター２４が配置されている。アジャスター２４は略円柱状に形成された押付部２４ａと押付部２４ａの後端部から外方へ張り出されたフランジ部２４ｂとから成る。アジャスター２４は押付部２４ａがフロントパネル１４の支持孔１４ａに挿通されて支持され、圧縮コイルバネ２３によって前方へ付勢される。
【００６７】
下側筐体７のフレーム部１２における突状配置部１６の内部には前側から順に押さえバネ２５と受け部材２６が配置される。押さえバネ２５は上側筐体６の内側構造部９の後側に配置され、前面が内側構造部９の基板部９ａに接した状態とされている。
【００６８】
受け部材２６の後側には支持体２７が配置される。支持体２７は球状に形成された球状部２７ａと球状部２７ａから後方へ突出された結合軸部２７ｂとから成る。支持体２７は、球状部２７ａが突状配置部１６の内部に配置され、結合軸部２７ｂが下側筐体７のリアキャビネット１５に形成された軸挿通孔１６ａから後方へ突出される。
【００６９】
支持体２７の球状部２７ａには押さえバネ２５によって受け部材２６が前方から押し付けられ、球状部２７ａと受け部材２６の間に一定の摩擦力が発生する。支持体２７の球状部２７ａには受け部材２６が任意の方向へ回転可能に保持される。
【００７０】
支持体２７は結合軸部２７ｂがスタンド２の支え脚５の上端部に結合される。支持体２７の結合軸部２７ｂが支え脚５に結合された状態において、ホルダー３は受け部材２６が支持体２７の球状部２７ａに摺動されることにより任意の方向へ回動可能とされると共に押さえバネ２５の付勢力により球状部２７ａと受け部材２６の間に摩擦力が発生することによって回動された任意の位置において保持される。
【００７１】
下側筐体７のフレーム部１２にはそれぞれ操作釦２８、２９、３０が配置される。操作釦２８、２９、３０はそれぞれ釦配置孔１５ｂ、１５ｂ、・・・に配置され、外部からの操作が可能とされている。操作釦２８、２９、３０は、例えば、それぞれ電源釦、電子機器１００に記録された音楽データーの早送り・巻き戻し等の釦、上側筐体６の下側筐体７に対する移動を可能または規制するための釦として機能する。
【００７２】
下側筐体７のフレーム部１２の内部には、突状配置部１６の下側に前後方向を向く回路基板３１が配置されている。回路基板３１には上下両端部にそれぞれフレキシブルプリント配線板３２、３３が接続され、上側のフレキシブルプリント配線板３２には接続コネクター３４が接続されている。接続コネクター３４はフレーム部１２のリアキャビネット１５の内面に取り付けられている。
【００７３】
回路基板３１には回転可能なダイヤル摘子３５が取り付けられており、ダイヤル摘子３５はフレーム部１２の摘子配置用切欠１５ｃに配置される。従って、ダイヤル摘子３５に対して外部からの操作が可能とされている。ダイヤル摘子３５は音楽データーの音量調整用の摘子として機能する。
【００７４】
下側筐体７のフレーム部１２の内部における下端部には導光部材３６が取り付けられている。
【００７５】
下側筐体７のフレーム部１２の内部における下端部には回動部材３７が回動自在に支持されている。回動部材３７は本体部３８と本体部３８からそれぞれ左右に突出された軸部３９、３９とから成り、本体部３８にはコネクター挿通孔３８ａが形成されている。
【００７６】
回動部材３７は軸部３９、３９がそれぞれリアキャビネット１５の内面側に形成された軸受凹部１５ａ、１５ａに支持されている。従って、回動部材３７は左右方向に延びる軸部３９、３９を支点として回動可能とされている。
【００７７】
回動部材３７の本体部３８における下面には接続基板４０が取り付けられている。接続基板４０上には半導体発光素子４１が搭載されている。接続基板４０の下面には回路基板３１に接続されたフレキシブルプリント配線板３３が接続されている。
【００７８】
接続基板４０上には雄型コネクター４２が搭載されている。接続基板４０が本体部３８に取り付けられた状態において、雄型コネクター４２はコネクター挿通孔３８ａを下側から挿通され一部が本体部３８から上方へ突出される。
【００７９】
接続基板４０が取り付けられた回動部材３７はフレーム部１２のフロントパネル１４に形成された配置孔１４ｂに配置される。従って、雄型コネクター４２は配置孔１４ｂに配置された回動部材３７及び接続基板４０と一体になって回動される。
【００８０】
回動部材３７がフレーム部１２に支持された状態において、軸部３９、３９にそれぞれ付勢バネ４３、４３が支持される。付勢バネ４３、４３は、例えば、捩じりコイルバネであり、回動部材３７を介して雄型コネクター４２を付勢する機能を有している。雄型コネクター４２は初期位置を基準として反対方向へ回動可能とされ、初期位置はホルダー３のベース部２０が延びる方向Ｈに対してθ°前方へ傾斜された位置、例えば、６°前方へ傾斜された位置である（図４参照）。雄型コネクター４２は付勢バネ４３、４３によって回動部材３７を介して初期位置に戻る方向へ付勢されている。
【００８１】
雄型コネクター４２は初期位置を基準として回動され、例えば、延びる方向Ｈに対して前側に２５°傾斜される状態まで回動可能とされ、延びる方向Ｈ、即ち、０°まで後側に回動可能とされている。従って、雄型コネクター４２が初期位置を基準として回動され回動された方向への力の付与が解除されたときには、付勢バネ４３、４３の付勢力によって、常に、初期位置（６°の状態）に戻るようにされている。
【００８２】
接続基板４０に搭載された半導体発光素子４１から光が出射されると、出射された光が導光部材３６を導光されてパネル部１３に取り付けられたインジケーター１８に入射される。半導体発光素子４１からは異なる色の光が出射可能とされており、出射された色に応じてインジケーター１８が色付き、インジケーター１８を視認することにより使用者において接続装置１の動作状態を確認することができる。
【００８３】
また、後述するリモートコントロール装置が操作されると、リモートコントロール装置から赤外光が赤外線フィルター１７を介して図示しない受光部に入射され、リモートコントロール装置による接続装置１に対する遠隔操作が可能とされている。
【００８４】
［接続装置の接続状態］
以下に、接続装置１の他の各部との接続状態について説明する（図７参照）。
【００８５】
上記のように構成された接続装置１は、例えば、車輌１０００において用いられる。接続装置１は車輌１０００の車内において、例えば、ダッシュボード等に取り付けられ、手動による操作の他、リモートコントロール装置５０による操作によって動作される。
【００８６】
接続装置１は、例えば、車載用のスピーカーユニットにデーターの出力等を行うための処理装置（デジタル・シグナル・プロセッサー・ユニット：Digital Signal Processor Unit）６０に接続される。接続装置１と処理装置６０の接続はケーブル７０がそれぞれ接続装置１の接続コネクター３４と処理装置６０の接続端子とに接続されることにより行われる。
【００８７】
処理装置６０は増幅回路として機能するアンプ８０を介して音声出力装置として機能するスピーカー９０に接続され、アンプ８０及びスピーカー９０に対して所定の処理を行ってこれらの各部を制御する。
【００８８】
接続装置１から出力された音声データーは処理装置６０に送出され、処理装置６０から出力されてアンプ８０によって増幅されてスピーカー９０から高品質の音声として出力される。
【００８９】
［接続装置に対する電子機器の接続動作］
以下に、接続装置１に対する電子機器１００の接続動作について説明する（図８乃至図１５参照）。
【００９０】
電子機器１００が接続される前の状態においては、雄型コネクター４２が初期位置にあり、ホルダー３のベース部２０が延びる方向に対して、例えば、６°前方、即ち、規制突部１９側へ傾斜されて位置されている（図８参照）。このとき上側筐体６は下側筐体７に対して上方へ移動されて上方の移動端に位置されている。
【００９１】
電子機器１００は上側の保持突部２１との干渉を回避するために稍前方に傾けられた状態で上方側からホルダー３のベース部２０に沿うようにして下方側へ移動され、雌型コネクター１０１が雄型コネクター４２に接続される（図９参照）。
【００９２】
このとき雄型コネクター４２が規制突部１９側へ傾斜されているため、電子機器１００の雌型コネクター１０１に雄型コネクター４２を挿入し易く、雄型コネクター４２に対する雌型コネクター１０１の良好な接続動作及び接続状態を確保することができる。
【００９３】
次に、電子機器１００を後方に押圧し、電子機器１００をベース部２０に平行な状態とする（図１０参照）。このとき電子機器１００によってアジャスター２４が押圧され、アジャスター２４が圧縮コイルバネ２３の付勢力に反して後方へ移動され、圧縮コイルバネ２３の付勢力によって押付部２４ａが電子機器１００の背面に押し付けられる。
【００９４】
電子機器１００が後方へ押圧されるときには、電子機器１００は下端部を支点とするように回動され、このとき雄型コネクター４２が回動部材３７及び接続基板４０と一体になって回動される。このように雄型コネクター４２は回動される構成にされているため、電子機器１００が後方へ押圧されるときに雄型コネクター４２に負荷が付与されることがなく、電子機器１００が後方へ押圧されたときの雄型コネクター４２の変形を防止することができる。
【００９５】
電子機器１００がベース部２０に平行な状態とされた状態においては、雄型コネクター４２はベース部２０が延びる方向Ｈと同じ角度（０°）まで回動される。
【００９６】
次いで、上側筐体６を下側筐体７に対して下方へ移動させる（図１１及び図１２参照）。上側筐体６が下方へ移動されると、上側筐体６における保持突部２１の前端部に設けられた位置規制突部１０ａに電子機器１００の上端部の前縁が係合される。従って、電子機器１００がホルダー３に保持される。このとき電子機器１００にはアジャスター２４を介して圧縮コイルバネ２３の付勢力が付与されているため、位置規制突部１０ａに電子機器１００の上端部の前縁が押し付けられ位置規制突部１０ａに電子機器１００が係合された状態が保持される。
【００９７】
電子機器１００がホルダー３に保持された状態においては、電子機器１００がベース部２０に平行な状態にされており、雄型コネクター４２はベース部２０が延びる方向Ｈと同じ角度（０°）の状態が保持されている（図１１及び図１３参照）。電子機器１００がホルダー３に保持された状態において、処理装置６０に対して電子機器１００に記録された音楽データーの出力が行われる。
【００９８】
電子機器１００を接続装置１から取り出すときには、先ず、上側筐体６を下側筐体７に対して上方へ移動させる。上側筐体６が上方へ移動されると、上側筐体６における保持突部２１の前端部に設けられた位置規制突部１０ａと電子機器１００の上端部の前縁との係合が解除されて圧縮コイルバネ２３の付勢力によってアジャスター２４が前方へ移動され、電子機器１００がアジャスター２４によって前方へ押圧される。
【００９９】
電子機器１００がアジャスター２４によって前方へ押圧されると、電子機器１００は下端部を支点とするように回動され、電子機器１００が前側に傾斜され、このとき雄型コネクター４２が回動部材３７及び接続基板４０と一体になって回動される。このように雄型コネクター４２は回動される構成にされているため、電子機器１００が前方へ押圧されるときに雄型コネクター４２に負荷が付与されることがなく、電子機器１００が前方へ押圧されたときの雄型コネクター４２の変形を防止することができる。
【０１００】
次いで、電子機器１００を把持して電子機器１００をさらに前側に傾斜させる（図１４及び図１５参照）。電子機器１００がさらに前側に傾斜されるときにも、雄型コネクター４２が回動部材３７及び接続基板４０と一体になって回動される。
【０１０１】
電子機器１００の前側への傾斜は下端部の前面が規制突部１９に接触するまで行うことが可能であり、電子機器１００の下端部の前面が規制突部１９に接触することにより、電子機器１００の前側への傾斜が規制される。
【０１０２】
上記したように、雄型コネクター４２が初期位置を基準として回動可能な最大角度は、ベース部２０が延びる方向Ｈに対して２５°にされているが、電子機器１００の前側への傾斜が規制突部１９によって規制された状態においては、雄型コネクター４２の初期位置を基準とした回動角度が最大角度より小さくされ、例えば、１９°にされている。
【０１０３】
このように接続装置１にあっては、電子機器１００が規制突部１９に接触され前側への傾斜が規制された状態における雄型コネクター４２の回動角度が、雄型コネクター４２の回動可能な最大角度より小さくされている。
【０１０４】
従って、回動部材３７や雄型コネクター４２を含めた回動機構の破損及び動作不良の発生を防止することができる。
【０１０５】
続いて、電子機器１００が前斜め上方へ引き抜かれることにより、雌型コネクター１０１と雄型コネクター４２の接続が解除され、電子機器１００が接続装置１から取り出される。
【０１０６】
電子機器１００が接続装置１から取り出されると、付勢バネ４３、４３の付勢力によって雄型コネクター４２が初期位置に戻る（図８参照）。
【０１０７】
上記したように、接続装置１にあっては、雄型コネクター４２が初期位置を基準として反対方向へ回動可能とされ、雄型コネクター４２を初期位置に向けて付勢する付勢バネ４３、４３を設けている。
【０１０８】
従って、電子機器１００が接続装置１に接続される前の状態において、常に、雄型コネクター４２がベース部２０に対して一定の角度で初期位置に保持されているため、電子機器１００の接続装置１に対する接続動作を容易に行うことができる。
【０１０９】
尚、上記には、電子機器１００の接続装置１に対する接続動作及び取出動作について説明したが、接続装置１には、上記したように、電子機器１００とは厚みの異なる電子機器２００を接続することが可能とされている。電子機器２００の厚みは、例えば、電子機器１００の厚みより薄くされている。
【０１１０】
電子機器２００が接続装置１に接続された状態においては、電子機器１００が接続装置１に接続された状態（図１６参照）に比し、電子機器２００の厚みが薄い分、電子機器１００の場合に対してアジャスター２４が前方に位置されて接触位置が変化された状態でアジャスター２４が電子機器２００の背面に圧縮コイルバネ２３の付勢力によって押し付けられている（図１７参照）。
【０１１１】
従って、厚みの相違する電子機器１００と電子機器２００が接続装置１に接続された場合に、ホルダー３に対する電子機器１００と電子機器２００の位置が大きく変化することがなく、厚みの相違に拘わらず電子機器１００、２００の接続装置１に対する接続動作及び取出動作を適性に行うことができる。
【０１１２】
また、上記したように、雄型コネクター４２が初期位置を基準として回動可能な最大角度は、ベース部２０が延びる方向Ｈに対して２５°にされているが、電子機器２００の前側への傾斜が規制突部１９によって規制された状態においては、雄型コネクター４２の初期位置を基準とした回動角度が最大角度より小さくされ、例えば、２４°にされている。
【０１１３】
このように接続装置１にあっては、電子機器２００が規制突部１９に接触され前側への傾斜が規制された状態における雄型コネクター４２の回動角度が、雄型コネクター４２の回動可能な最大角度より小さくされている。
【０１１４】
従って、回動部材３７や雄型コネクター４２を含めた回動機構の破損及び動作不良の発生を防止することができる。
【０１１５】
［規制突部と雄型コネクターの位置関係］
以下に、規制突部１９と雄型コネクター４２の位置関係について説明する（図１９及び図２０参照）。
【０１１６】
電子機器１００、２００の雌型コネクター１０１、２０１と雄型コネクター４２の間には、雄型コネクター４２をそれぞれ雌型コネクター１０１、２０１に円滑に挿入するための隙間が形成されている。
【０１１７】
このとき規制突部１９の高さが雄型コネクター４２の高さに対して低い場合（図１９参照）に、電子機器１００、２００が雄型コネクター４２に対して傾いてしまうと、電子機器１００、２００と規制突部１９の接点Ａから雌型コネクター１０１、２０１の下端部と雄型コネクター４２の下端部との接点Ｂまでの距離が小さいため、電子機器１００、２００の雄型コネクター４２に対する傾きが大きくなり易い。従って、雄型コネクター４２の上端Ｃが雌型コネクター１０１、２０１と接触し易くなり、雄型コネクター４２に電子機器１００、２００から負荷が付与され、雄型コネクター４２が変形し易くなってしまう。
【０１１８】
一方、規制突部１９の高さが雄型コネクター４２の高さに対して高い場合（図２０参照）には、電子機器１００、２００が雄型コネクター４２に対して傾いたときに、電子機器１００、２００と規制突部１９の接点Ａから雌型コネクター１０１、２０１の下端部と雄型コネクター４２の下端部との接点Ｂまでの距離が大きいため、電子機器１００、２００の雄型コネクター４２に対する傾きが大きくなり難い。従って、雄型コネクター４２の上端Ｃが雌型コネクター１０１、２０１と接触し難く、雄型コネクター４２に電子機器１００、２００から負荷が付与され難く、雄型コネクター４２が変形し難い。
【０１１９】
そこで、接続装置１にあっては、接点Ａから接点Ｂまでの距離が大きくなるようにするために、雌型コネクター１０１、２０１が雄型コネクター４２に接続された電子機器１００、２００が規制突部１９に接触された状態において、規制突部１９の先端部（上端部）１９ａと雄型コネクター４２の先端部（上端部）４２ａとが上下方向において略同じ位置に存在するようにしている。
【０１２０】
従って、電子機器１００、２００が雄型コネクター４２に対して傾いたときに、電子機器１００、２００の雄型コネクター４２に対する傾きが大きくなり難く、雄型コネクター４２の変形の発生を低減することができる。
【０１２１】
［まとめ］
以上に記載した通り、接続装置１にあっては、雄型コネクター４２を回動可能にすると共に保持突部２２の先端部に雄型コネクター４２に前方において対向して位置された規制突部１９を設け、電子機器１００、２００がホルダー３に対して傾動されて雄型コネクター４２が回動されたときに、電子機器１００、２００が規制突部１９に接触されて雄型コネクター４２の所定の角度以上の回動が規制されるようにしている。
【０１２２】
従って、雄型コネクター４２に電子機器１００、２００から負荷が付与されず、雄型コネクター４２が変形することがないため、電子機器１００、２００の取出時における雄型コネクター４２の変形を防止することができる。
【０１２３】
［本技術］
本技術は、以下のような構成とすることができる。
【０１２４】
（１）雌型コネクターを有する電子機器を保持するホルダーと、前記電子機器が前記ホルダーに保持されるときに前記雌型コネクターに挿入されて接続される雄型コネクターとを備え、前記ホルダーがベース部と前記ベース部の両端部からそれぞれ略同じ方向へ突出され前記電子機器の両端部に係合して前記電子機器を挟持する一対の保持突部とを有し、前記雄型コネクターが前記一対の保持突部の並び方向に直交し前記ベース部からの前記保持突部の突出方向に直交する方向に延びる軸を支点として一方の前記保持突部に回動自在に支持され、前記一方の保持突部の先端部に前記ベース部からの前記保持突部の突出方向において前記雄型コネクターに対向して位置された規制突部を設け、前記雌型コネクターに前記雄型コネクターが接続された状態において前記電子機器の他方の前記保持突部との係合が解除されて前記電子機器が前記ホルダーに対して傾動されて前記雄型コネクターが回動されたときに、前記電子機器が前記規制突部に接触されて前記雄型コネクターの所定の角度以上の回動が規制されるようにした接続装置。
【０１２５】
（２）前記雌型コネクターが前記雄型コネクターに接続された前記電子機器が前記規制突部に接触された状態において、前記規制突部の先端部と前記雄型コネクターの先端部とが前記並び方向において略同じ位置に存在するようにした前記（１）に記載の接続装置。
【０１２６】
（３）前記雄型コネクターが所定の角度範囲で前記ホルダーに対して回動可能とされ、前記電子機器が前記規制突部に接触したときに前記雄型コネクターの回動角度が前記角度範囲における最大角度より小さくされた前記（１）又は前記（２）に記載の接続装置。
【０１２７】
（４）前記ホルダーに前記電子機器が保持される前の状態において、前記雄型コネクターが前記一対の保持突部の並び方向に対して前記規制突部側へ傾斜された前記（１）から前記（３）の何れかに記載の接続装置。
【０１２８】
（５）前記ホルダーに前記電子機器が保持される前の状態における前記雄型コネクターの位置が初期位置とされ、前記雄型コネクターが前記初期位置を基準として反対方向へ回動可能とされ、前記雄型コネクターを前記初期位置へ向けて付勢する付勢バネを設けた前記（４）に記載の接続装置。
【０１２９】
（６）前記ホルダーのベース部に前記ベース部からの前記保持突部の突出方向へ移動可能とされ前記ホルダーに前記電子機器が保持されたときに前記電子機器に押し付けられるアジャスターを設け、前記ホルダーは前記ベース部からの前記保持突部の突出方向における大きさが異なる電子機器の保持が可能とされ、前記ホルダーに前記電子機器が保持された状態において、保持された前記電子機器の前記大きさに応じて前記アジャスターの前記電子機器に対する接触位置が変化されるようにした前記（１）から前記（５）の何れかに記載の接続装置。
【０１３０】
上記した技術の最良の形態において示した各部の具体的な形状及び構造は、何れも本技術を実施する際の具体化のほんの一例を示したものにすぎず、これらによって本技術の技術的範囲が限定的に解釈されることがあってはならないものである。
【図面の簡単な説明】
【０１３１】
【図１】図２乃至図２０と共に本技術接続装置を示すものであり、本図は、接続装置と接続装置に接続される厚みの異なる電子機器を示す斜視図である。
【図２】接続装置をスタンドとホルダーを分離して示す斜視図である。
【図３】接続装置の一部を示す分解斜視図である。
【図４】接続装置の側面図である。
【図５】図４とは反対方向から見た状態で示す接続装置の側面図である。
【図６】接続装置の正面図である。
【図７】接続装置の他の各部との接続状態を示すブロック図である。
【図８】図９乃至図１５と共に接続装置に対する電子機器の接続動作を示すものであり、本図は、電子機器が接続装置に接続される前の状態を示す側面図である。
【図９】電子機器の雌型コネクターが雄型コネクターに接続された状態を示す側面図である。
【図１０】電子機器が後方へ押圧されベース部と平行にされた状態を示す側面図である。
【図１１】電子機器がホルダーに保持されて接続装置に接続された状態を示す側面図である。
【図１２】電子機器がホルダーに保持されて接続装置に接続された状態を示す正面図である。
【図１３】電子機器がホルダーに保持されて接続装置に接続された状態を示す拡大断面図である。
【図１４】電子機器の接続装置からの取出時に、電子機器が前方に傾けられた状態を示す側面図である。
【図１５】電子機器が規制突部に接触されて雄型コネクターの回動が規制された状態を示す拡大断面図である。
【図１６】厚みの厚い電子機器がホルダーに保持されて接続装置に接続された状態を示す側面図である。
【図１７】厚みの薄い電子機器がホルダーに保持されて接続装置に接続された状態を示す側面図である。
【図１８】厚みの薄い電子機器が規制突部に接触されて雄型コネクターの回動が規制された状態を示す拡大断面図である。
【図１９】図２０と共に規制突部と雄型コネクターの位置関係（高さ）を説明するためのものであり、本図は、規制突部の高さが雄型コネクターの高さに対して低い場合を示す概念図である。
【図２０】規制突部の高さが雄型コネクターの高さに対して高い場合を示す概念図である。
【符号の説明】
【０１３２】
１…接続装置、３…ホルダー、１９…規制突部、２０…ベース部、２１…保持突部、２２…保持突部、２４…アジャスター、４２…雄型コネクター、４３…付勢バネ、１００…電子機器、１０１…雌型コネクター、２００…電子機器、２０１…雌型コネクター、１９ａ…先端部、４２ａ…先端部
【図１】
2013025885.tif 000003
【図２】
2013025885.tif 000004
【図３】
2013025885.tif 000005
【図４】
2013025885.tif 000006
【図５】
2013025885.tif 000007
【図６】
2013025885.tif 000008
【図７】
2013025885.tif 000009
【図８】
2013025885.tif 000010
【図９】
2013025885.tif 000011
【図１０】
2013025885.tif 000012
【図１１】
2013025885.tif 000013
【図１２】
2013025885.tif 000014
【図１３】
2013025885.tif 000015
【図１４】
2013025885.tif 000016
【図１５】
2013025885.tif 000017
【図１６】
2013025885.tif 000018
【図１７】
2013025885.tif 000019
【図１８】
2013025885.tif 000020
【図１９】
2013025885.tif 000021
【図２０】
2013025885.tif 000022